(57)【要約】　　　（修正有）【解決手段】座板２に付けられた、おねじの棒３が、めねじ７が切られている支持板５と、把手６とを、貫通して、おねじの棒が、支持板に支えられて、上下し、支持板の間に，介在する把手を緩めたり、或いは、締めたりすることによって、おねじの棒を、自由な位置に確実にとどめて、おねじの棒に取り付けられた座板を、安定的に固定する。【効果】椅子の高さを、おねじの棒の長さの範囲内で、把手を、単に、緩める、又は、締めるの動作のみによって、座板を好む高さに決めることができるとともに、把手を締め付けることで、座板を安定して固定できる。【選択図】　図１
0003097585.tif 000002
【実用新案登録請求の範囲】
【請求項１】
椅子（１）の座板（２）の底部に、下方に向って垂直に、おねじの棒（３）を取り付け、このおねじの棒（３）は、椅子の脚部（４）に取り付けられている２枚の支持板（５）によって、支持され、この支持板（５）と支持板（５）の間には、把手（６）が介在し、この２枚の支持板（５）と、把手（６）の、それぞれにめねじ（７）を設け、おねじの棒（３）は、これらのめねじ（７）と、噛み合い、おねじの棒（３）が上、下に動いて、座板（２）の高さの調節が可能となることを特徴とする椅子。
【請求項２】
支持板（５）に、把手のストッパー（８）を設けたことを特徴とする請求項１に記載の椅子。
【請求項３】
おねじの棒の端末に、おねじの棒（３）の、外れ止めストッパー（９）を設けことを特徴とする請求項１または請求項２に記載の椅子。
【請求項４】
支持板（５）に設けた空所（１０）に、把手（６）が取り付けられていることを特徴とする請求項１または請求項３に記載の椅子。
【考案の詳細な説明】
【０００１】
【考案の属する技術分野】
この考案は、座板の高さを自由に調節することが可能で、かつ、座板の固定が、把手の操作で極めて簡単に、かつ、確実に行える椅子に関する。
【０００２】
【従来の技術】
これまで、座板の高さを調節のできる椅子には、この考案によるような構造のものはなかった。
従来のものは、椅子の脚部から上に伸びた柱と、これとは別に、座板から、下に伸びた柱に、それぞれ、等間隔で任意数の孔があけられ、この両者の柱を、孔の位置を合わせて、これをボルトで繋ぎ、高さを決めるもの、又は、脚部から垂直に立ち上がった一本の筒に、座板の底部から下に伸びた棒を、挿入し、棒に予め、しるされている窪みに、予め、筒に取り付けられた孔から挿し込んだ、止め具で掛止し、座板の高さを調節するもの、或いは、座板の底部に取り付けられた、おねじの棒を、脚部に取り付けられためねじの穴に貫通し、ねじの噛み合わせによって、おねじの棒を上、下することによって、座板の高さを調節するものなどがあった。
【０００３】
【考案の解決しようとする課題】
これらのもののうち、そのうちのひとつは、予め、決めてある孔の位置によって、変更できる高さが、数カ所に、決まってしまい、自由な高さが選択できないし、また、高さを変えるとき、ボルトを取り外して、新たに必要な位置に替えて、ボルトを締め直すという手間が掛かる。
その他、座板のおねじの棒を、脚部のめねじの孔に貫通させるものでは、おねじの棒と、めねじが、木材で作られたものは、金属で、この部分を作ったものに較べ弱いため、ねじの噛み合わせが壊れ易く、座板の固定ができなくなるなど、また、支持板を取り付けてないので、座板の安定を欠くなど、問題になるところがあった。
この考案による椅子は、座板の底部から、下に伸びた、おねじの棒を椅子の脚部に取り付けられた支持板と、支持板と支持板の間に介在する把手とによって、これらの、それぞれに、設けためねじと、噛み合わせて、おねじの棒が自由に上、下し、更に、把手によって、確実に固定することができる椅子を提供しようとするものである。
【０００４】
【課題を解決するための手段】
この考案による椅子は、座板（２）の底部に、下方へ向かって垂直に伸びる、おねじの棒（３）が取り付けられ、このおねじの棒（３）は、椅子の脚部（４）に取り付けられいる２枚の支持板（５）によって、支えられ、支持板（５）と、支持板（５）との間に挟まれて、把手（６）が介在し、おねじの棒（３）は、支持板（５）と、把手（６）と、支持板（５）の、それぞれに、設けられためねじ（７）のねじ孔（１４）を貫通して、めねじ（７）と噛み合っている。
おねじの棒（３）は、おねじの棒（３）を自在に回動することによって、めねじ（７）と噛み合って、上、下に動き、これに伴って、座板（２）も上、下する。
また、支持板（５）には、把手（６）の回動を抑制するストッパー（８）を設け、支持板（５）からおねじの棒（３）が、抜け出ないようにし、おねじの棒（３）の端末には、おねじの棒の外れ止めストッパー（９）を設ける。
把手（６）は、支持板（５）に設けた空所（１０）に、収容する構造とすることもできる。
以上のような構成である。
【０００５】
【考案の実施の形態】
この考案の実施の形態の一つについて、説明する。
この考案による椅子は、座板とおねじの棒及びこの棒を支える支持板を含む脚部とからなっている。
椅子の背板は、通常、取り付けられているものが多いが、背板のないものもある。
背板は、座板の表面に立てて取り付けたり、座板の背後から取り付けたりする。
椅子のうち、脚を含む脚部は、それぞれの脚を、ぬき、よって、支持すると共に、ぬき、に支持板を取り付けて、座板の底部から、下に向かって伸びている、おねじの棒が、支持板に空けた、めねじのねじ孔を貫通している。
また、２枚の支持板の間に挟まれて、把手が介在している。
この把手にも、おねじの棒を貫通させるための、めねじのねじ孔が空けられている。
２枚の支持板には、把手の回動を制限するために、支持板の間に把手のストッパーが散り付けられている。
支持板を２枚を使用することは、おねじの棒の支持強度を増す。
また、他には，厚手の支持板に、把手を収容できる空所を作り、これに把手を収容する構造とすることもできる。
おねじの棒の端末には、おねじの棒が、支持板から、抜け出ないように、外れ止めのストッパーが取り付けられている。
おねじの棒は、支持板に支えられて、２枚の支持板と、把手に取り付けられている、めねじと噛み合って、座板の取り付けられたおねじの棒が、回動して上、下する。
【０００６】
把手は、これを締めたり、緩めたり、することによつて、おねじの棒の動きを制御する。
把手は、支持板と、支持板との間に挟まれて、把手を回動すると、おねじの棒は動かないが、把手のみが回動して、おねじの棒の上を上、下に動く。しかし、把手の動きは、把手を挟み込んでいる支持板の間に限られ、その回動する範囲は、狭く、かつ、把手のストッパーによって、また、制限される。
把手を回動して、支持板に、接近させ、これに押しつけると、把手の動きが支持板に遮られて停止し、把手のめねじと、おねじの棒が噛み合った侭となり、座板が回動できなくなり、座板が確実に固定される。
把手を回して、把手の締めつけを緩めると、把手は、支持板から、離れ、同時に、おねじの棒への、把手の締めつけが、緩み、おねじの棒が回動して、上、下への移動が可能となる。
従って、把手を締めつければ、その位置で、おねじの棒の動きが、停止するため、把手の締めつける位置を自由に替えることによって、座板の高さを自由な位置で決めることができる。
また、締めつけた把手を、緩めない限り、おねじの棒が動くことはないので、座板が安定的に固定できる。
把手は、握りの部分が取り付けられた円盤の中央部分に、めねじのねじ孔があけられている。
【０００７】
この考案による椅子は、木材、金属、合成樹脂などで、それぞれの材料が、単独、または、複合して作られる。
この考案による椅子を、木材のみにより、製造するとき、支持板に空けるめねじは、木材の木目の線に対し、直角の方向に向かって、めねじを切ると、めねじの強度が高まる。
また、ねじ孔を空けたのち、ねじ孔にねじを切る前に、ねじ孔に、補強のための、樹脂の注入処理を行う。
【０００８】
おねじの棒を、座板の底部に取り付けるときは、座板におねじの棒を固定するための、板を取り付け、この板にも、めねじを切り、おねじの棒と噛み合わせて、接着する。
おねじの棒を固定する板と座板の底部は、それぞれに設けられている受け孔を、連結駒で連結し、接着剤で接着し，座板におねじの棒を固着する。
【０００９】
【考案の効果】
この考案による効果には、次のようなものがある。
（あ）　椅子の高さを、おねじの棒の長さの範囲内で、把手を、単に、緩める、又は、締めるの動作のみによって、座板を好む高さに決めることができるとともに、把手を締め付けることで、座板を安定して固定できる。
【図面の簡単な説明】
【図１】椅子の構造を示す図である。
【図２】椅子の斜視図である。
【図３】椅子の座板を移動させた状態を示す図である。
【図４】請求項４に記載する把手と支持板を示す図である。
【符号の説明】
１　　椅子
２　　座板
３　　おねじの棒
４　　椅子の脚部
５　　支持板
６　　把手
７　　めねじ
８　　把手のストッパー
９　　外れ止めストッパー
１０　空所
１１　背板
１２　ぬき
１３　椅子の脚
１４　ねじ孔
【図１】
0003097585.tif 000003
【図２】
0003097585.tif 000004
【図３】
0003097585.tif 000005
【図４】
0003097585.tif 000006